(57)【要約】【課題】  撥水性、接触冷感性、紫外線カット性、吸水即乾性、消臭抗菌性、難燃性、吸湿発熱性のうちの１つの機能を有する糸を複数使用して、複数の機能を持つ織地又は編地で作るリブ又はテープを提供する事。【解決手段】  撥水性、接触冷感性、紫外線カット性、吸水即乾性、消臭抗菌性、難燃性、吸湿発熱性のうちの１つの機能を有する糸で作る織地又は編地を一つおきに交互につなげて凹凸形状といなるように織るか又は編んだり、あるいは表裏一体に成形したりする事で、複数の機能を有してそれが活かせるリブ又はテープとする事を特徴とする。【選択図】図１
0003172448.tif 000002
【実用新案登録請求の範囲】
【請求項１】
撥水性、接触冷感性、紫外線カット性、吸水即乾性、消臭抗菌性、難燃性、吸湿発熱性のうちの１つの機能を有する糸を複数使用する事で複数の機能を有する織地又は編地で作るリブ又はテープ。
【請求項２】
請求項１に記載された糸を複数使用して作る織地又は編地。
【請求項３】
請求項１に記載された糸を複数使用して凹凸形状を形成するように織った織地又は同じく凹凸形状を形成するように編んだ編地。
【請求項４】
請求項１に記載された糸を一つおきに交互に厚みを変えて凹凸形状となるようにつなげた織地又は編地。
【請求項５】
請求項１に記載された糸を表裏一体の形態として作成する織地又は編地。
【考案の詳細な説明】
【技術分野】
【０００１】  本考案は織地又は編地で作成する衣料用のリブ又はテープに関する。
【背景技術】
【０００２】  従来、衣料用の織地又は編地で何らかの機能を持たせたものは丸編みやパイル編み地で作られることが多い。これらに関する技術が知られている。（例えば、特許文献１、２、３、４参照）【０００３】
【特許文献１】特開平９−４１２４５号公報
【特許文献２】特開平９−４１２４６号公報
【特許文献３】登録実用新案第３０５７９２７号公報
【特許文献４】特開２００９年−２５６８２８号公報
【考案の概要】
【考案が解決しようとする課題】
【０００４】  しかしながら、特許文献１は丸編み地に対する発明であり、本考案の多機能糸を使用するリブ及びテープとは全く目的が異なる。【０００５】  同一出願人で同日に出願の特許文献２も同じく丸編み地に対する発明であり、本考案の多機能糸を使用するリブ及びテープとは全く目的が異なる。【０００６】  特許文献３は３種類以上の異なる機能糸を引き揃えてパイルを作る考案であり、それに対して本考案は異なる機能を持つ部分を１枚の経編み地又は横編み地の中に存在させるという、多機能糸を使用するリブ及びテープとは全く目的が異なる。【０００７】  特許文献４は経編み地で作るネックウェア、つまりマフラーの製造方法に関するものである。本考案の多機能糸を使用するリブ及びテープとは全く目的が異なる。【０００８】  以上のような発明や考案があったが、撥水性など複数の機能を有する生地を使用するリブ又はテープの考案に対する要望は従来から大きいものがあった。【０００９】  本考案のリブ及びテープは、以上のような従来の問題点を解決するために創案されたもので、次の目的を達成する。【００１０】  本考案の目的は、例えば撥水性、接触冷感性、紫外線カット性、吸水即乾性、消臭抗菌性、難燃性、吸湿発熱性など複数の機能を有するリブやテープを作ることである。
【課題を解決するための手段】
【００１１】  本考案のリブ又はテープは、前記目的を達成するために次の手段をとる。【００１２】  撥水性、接触冷感性、紫外線カット性、吸水即乾性、消臭抗菌性、難燃性、吸湿発熱性のうちの１つの機能を有する糸で作る織地又は編地を一つおきに交互に厚みを変えてつなげて凹凸形状となるように織るか又は編む事により、あるいは表裏一体に成形したりする事で、複数の機能が活かせるリブ又はテープが出来る。【００１３】  本考案の織地又は編地で作るものとしてはリブ又はテープがあげられる。
【考案の効果】
【００１４】  本考案のリブ又はテープであるが、織地又は編地として撥水性、接触冷感性、紫外線カット性、吸水即乾性、消臭抗菌性、難燃性、吸湿発熱性などの１つの機能を有する糸を複数使用して凹凸形状となるように織るか又は編む事で表裏一体の形態として作成する事で、今までにない複数の機能を有してそれを活かせるリブ又はテープとなる。【００１５】  例えば一方の糸の機能が吸水速乾性を持ち、他方の糸が撥水性を持つ組合せの場合では、皮膚に触れる凸部分に撥水性糸を採用し、直接皮膚に触れない凹部分には吸水速乾性の糸を採用する。そうすると皮膚が当たる部分は水気のない、さらさらした状態を保つことが出来る。【００１６】あるいは表側の糸に紫外線カット性を持たせ、裏側の糸には吸水速乾性を持たせて、紫外線カットによる日焼け防止の効果があり、かつ汗を素早く吸い取るものが出来る。
【考案を実施するための最良の形態】
【００１７】  本考案のリブ又はテープの実施の形態を図面に基づいて説明する。【００１８】  図１は、本考案のリブ又はテープの実施の形態を示す図であって、１つの糸に撥水性糸を使用し、他方の糸に吸水速乾性の糸を使用した状態を示す正面図である。図２は図１の側面図である。図３は機能１を有する織地又は編地と、機能２を有する織地又は編地とを横並びに形成した状態を示す斜視図である。図４は図３の状態の織地又は編地で、各々の機能を有する織地又は編地ごとに反対側に折り返した状態を示す斜視図である。図５は本考案のリブ又はテープを使用した袖口を示す参考図である。図６は衣服の袖口に本考案のリブ又はテープを装着した状態を示す参考図である。【００１９】  以上、本考案のリブ又はテープの実施の形態を説明したが、本考案はこの実施の形態に限定されることはない。本考案の目的、趣旨を逸脱しない範囲内での変更が可能なことは言うまでもない。
【図面の簡単な説明】
【００２０】
【図１】図１は、本考案のリブ又はテープに使用する織地又は編地で、１方の糸に撥水性糸を使用し、他方の糸に吸水速乾性の糸を使用した状態を示す正面図である。
【図２】図２は、図１の側面図である。
【図３】図３は、機能１を有する織地又は編地と、機能２を有する織地又は編地とを横並びに形成した状態を示す斜視図である。
【図４】図４は、図２の状態の織地又は編地で、各々の機能を有する織地又は編地ごとに反対側に折り返した状態を示す斜視図である。
【図５】図５は、本考案のリブ又はテープを使用した袖口を示す参考図である。
【図６】図６は、本考案のリブ又はテープを使用した袖口を装着した衣服を示す参考図である。
【符号の説明】
【００２１】  １…織地又は編地１
１ａ…一方の機能の糸で作る織地又は編地
１ｂ…他方の機能の糸で作る織地又は編地
２…織地又は編地２
２ａ…一方の機能の糸で作る織地又は編地
２ｂ…他方の機能の糸で作る織地又は編地
【図１】
0003172448.tif 000003
【図２】
0003172448.tif 000004
【図３】
0003172448.tif 000005
【図４】
0003172448.tif 000006
【図５】
0003172448.tif 000007
【図６】
0003172448.tif 000008
【手続補正書】
【提出日】平成23年8月31日(2011.8.31)
【手続補正１】
【補正対象書類名】実用新案登録請求の範囲
【補正対象項目名】全文
【補正方法】変更
【補正の内容】
【実用新案登録請求の範囲】
【請求項１】
撥水性、接触冷感性、紫外線カット性、吸水即乾性、消臭抗菌性、難燃性、吸湿発熱性のうちの１つの機能を有する糸を複数使用する事で複数の機能を有する織地又は編地で作るリブ又はテープ。
【請求項２】
前記糸を複数使用して凹凸形状を形成するように織った前記織地又は前記糸を複数使用して凹凸形状を形成するように編んだ前記編地で作る
ことを特徴とする請求項１に記載のリブ又はテープ。
【請求項３】
前記糸を一つおきに交互に厚みを変えて凹凸形状となるようにつなげた前記織地又は前記編地で作る
ことを特徴とする請求項１に記載のリブ又はテープ。
【請求項４】
前記糸を表裏一体の形態として作成する前記織地又は前記編地で作る
ことを特徴とする請求項１に記載のリブ又はテープ。
【手続補正３】
【補正対象書類名】明細書
【補正対象項目名】０００１
【補正方法】変更
【補正の内容】
【０００１】  本考案は織地又は編地で作成する多機能を備えた衣料用のリブ又はテープに関する。
【手続補正４】
【補正対象書類名】明細書
【補正対象項目名】００２１
【補正方法】変更
【補正の内容】
【００２１】１…織地又は編地
１ａ…一方の機能の糸で作る織地又は編地
１ｂ…他方の機能の糸で作る織地又は編地
２…織地又は編地
２ａ…一方の機能の糸で作る織地又は編地
２ｂ…他方の機能の糸で作る織地又は編地